(57)【特許請求の範囲】
【請求項１】
複数の電池それぞれの電圧を監視する監視部と、
前記監視部と接続される制御部と、を備え、
前記監視部は、
第一の周期と、前記第一の周期より短い第二の周期を有し、
前記第一の周期の中に、複数の前記第二の周期が存在し、
前記第二の周期ごとに、前記複数の電池の電圧を計測し、
前記複数の第二の周期のうちの１つの第二の周期で計測された前記複数の電池それぞれの電圧を示す電圧情報を、前記第一の周期内の前記複数の第二の周期ごとに分けて前記制御部へ逐次送信し、
前記第二の周期ごとに計測された前記複数の電池の電圧を用いて、前記第二の周期ごとに、前記電池のいずれかに電圧異常があるか否かを判定し、
前記第二の周期ごとに、前記電圧情報より情報量が少ない判定結果を示す電圧異常情報を前記制御部に送信する、
ことを特徴とする電池監視装置。
【請求項２】
請求項１に記載の電池監視装置であって、
前記監視部は、前記電圧異常情報を前記第二の周期ごとに生成する、
ことを特徴とする電池監視装置。
【請求項３】
電池あるいは前記電池の周辺の温度を監視する監視部と、
前記監視部と接続される制御部と、を備え、
前記監視部は、
第一の周期と、前記第一の周期より短い第二の周期を有し、
前記第一の周期の中に、複数の前記第二の周期が存在し、
前記第二の周期ごとに、複数の温度を計測し、
前記複数の第二の周期のうちの１つの第二の周期で計測された、前記電池あるいは前記電池周辺の温度を示す複数の温度情報を、前記第一の周期内の前記複数の第二の周期ごとに分けて前記制御部へ逐次送信し、
前記第二の周期ごとに計測された前記複数の温度を用いて、前記第二の周期ごとに、前記電池あるいは前記電池周辺の温度に異常があるか否かを判定し、
前記第二の周期ごとに、前記温度情報より情報量が少ない判定結果を示す温度異常情報を前記制御部に送信する、
ことを特徴とする電池監視装置。
【請求項４】
請求項３に記載の電池監視装置であって、
前記監視部は、前記温度異常情報を前記第二の周期ごとに生成する、
ことを特徴とする電池監視装置。
【発明の詳細な説明】
【技術分野】
【０００１】
本発明は、電池を監視する電池監視装置に関する。
【背景技術】
【０００２】
従来は、監視部が監視する複数の電池（ｎ個の電池）がある場合、ｎ個の電池それぞれの電圧を所定周期ごとに計測し、計測した電圧の示す情報をｎ個生成して、ｎ個生成した電圧を示す情報それぞれを、監視部は所定周期内に制御部に送信している。また、制御部は電圧の示す情報を用いて電圧異常を検出している。
【０００３】
しかし、電圧異常は早期に検出したい。そこで、所定周期を短くして電圧の示す情報を送信することが考えられる。ところが、電池数が増加すると、電圧を示す情報が多くなり、短くした所定周期内にすべての電圧を示す情報を送信することができなくなる。
【０００４】
関連する技術として、高圧系マイコンが、クロック信号のカウント値が第一所定値を超えると、自己のアドレスを指定した単位セルの両端電圧のデジタル値を低圧系マイコンに対して順番に送信すること、クロック信号のカウント値が第二所定値を超えると、異常検出処理の検出結果を示す結果信号を低圧系マイコンに対して送信する異常報告処理を行うこと、電圧検出回路から電圧値や結果信号といったステータス報告が規定時間を空ける毎に送信されることが提案されている。例えば、特許文献１を参照。
【０００５】
また、電池の電圧を計測して監視部から制御部に送信すること、電池の電圧異常を検出すること、が知られている。例えば、特許文献２、３を参照。
【先行技術文献】
【特許文献】
【０００６】
【特許文献１】特開２００９−０１７６６３号公報
【特許文献２】特開２０１４−０４４０６１号公報
【特許文献３】特開２０１１−１８５９１５号公報
【発明の概要】
【発明が解決しようとする課題】
【０００７】
本発明の一側面に係る目的は、監視部から制御部への情報量を削減しつつ、早期に異常に対応することができる電池監視装置を提供することである。
【課題を解決するための手段】
【０００８】
実施の態様のひとつである電池監視装置は、複数の電池それぞれの電圧を監視する監視部と、監視部と接続される制御部と、を備える。監視部は、電池それぞれの電圧を示す電圧情報を、第一の周期ごとに制御部へ送信し、第一の周期より短い第二の周期ごとに、電池のいずれかに電圧異常があるか否かを判定し、電圧情報より情報量が少ない判定結果を示す電圧異常情報を、制御部に送信する。
【０００９】
他の実施の態様のひとつである電池監視装置は、複数の電池に流れる電流を監視する監視部と、監視部と接続される制御部と、を備える。監視部は、電池に流れる電流を示す電流情報を、第一の周期ごとに前記制御部へ送信し、第一の周期より短い第二の周期ごとに、電池に流れる電流に異常があるか否かを判定し、電流情報より情報量が少ない判定結果を示す電流異常情報を、制御部に送信する。
【００１０】
他の実施の態様のひとつである電池監視装置は、電池あるいは電池周辺の温度を監視する監視部と、監視部と接続される制御部と、を備える。監視部は、電池あるいは電池周辺の温度を示す温度情報を、第一の周期ごとに制御部へ送信し、第一の周期より短い第二の周期ごとに、電池の温度に異常があるか否かを判定し、温度情報より情報量が少ない判定結果を示す温度異常情報を、制御部に送信する。
【発明の効果】
【００１１】
監視部から制御部への情報量を削減しつつ、早期に異常に対応することができる。
【図面の簡単な説明】
【００１２】
【図１】図１は、電池監視装置の一実施例を示す図である。
【図２】図２は、監視部および制御部の電圧情報と電圧異常情報の処理のタイミングの一例を示す図である。
【図３】図３は、監視部および制御部の電流情報と電流異常情報の処理のタイミングの一例を示す図である。
【図４】図４は、監視部および制御部の温度情報と温度異常情報の処理のタイミングの一例を示す図である。
【発明を実施するための形態】
【００１３】
以下図面に基づいて実施形態について詳細に説明する。
図１は、電池監視装置の一実施例を示す図である。電池監視装置は、制御部１、一つ以上の電池モジュール２（図１の例では並列接続される複数の電池モジュール２ａ、２ｂ）を有する。
【００１４】
制御部１は、監視部３それぞれと通信をするための通信配線により電池モジュール２それぞれに設けられている監視部３（図１の例では３ａ、３ｂ）と接続される。
電池モジュール２は、監視部３、電池４（図１の例では直列接続される複数の電池４ａ１から４ａ７、４ｂ１から４ｂ７）、スイッチ５（図１の例では５ａ、５ｂ）などを有する。
【００１５】
監視部３は電池４を監視するための配線により電池４と接続されている。また、監視部３は通信配線を介して制御部１と通信をする。
電池４それぞれは、充電可能な電池であり、例えば、リチウムイオン電池やニッケル水素電池などが考えられる。
【００１６】
スイッチ５は、制御部１がフェールセーフ処理をする際に、電池モジュール２と電力線（太線）とを遮断するために用いるスイッチである。例えば、トランジスタやリレーが考えられる。
【００１７】
電流計測部６（図１の例では６ａ、６ｂ）は電池４に流れる電流を計測する。例えば、電流計、シャント抵抗、電流センサを用いることが考えられる。
温度計測部７（図１の例では７ａ１、７ａ２、７ｂ１、７ｂ２）は電池４あるいは電池４周辺の温度を計測する。例えば、電気式温度計（サーミスタ）や熱電対を用いることが考えられる。なお、温度計測部７は、電池４それぞれに設けてもよいし、電池４のいずれかに設けてもよいし、電池モジュール２の筐体などに取り付けてもよい。なお、温度計測部７の数は二個に限定されるものではない。
【００１８】
監視部について説明する。
監視部３は、例えば、ＣＰＵ（Central Processing Unit）、マルチコアＣＰＵ、プログラマブルなデバイス（ＦＰＧＡ（Field Programmable Gate Array）、ＰＬＤ（Programmable Logic Device）など）などを用いて構成する。また、監視部３それぞれは、スイッチ５を切り替える（オン／オフ）制御をする。監視部３それぞれは、例えば、監視ＥＣＵ（Electronic Control Unit）を用いてもよい。また、監視部３それぞれは、記憶部、電池電圧を計測する計測部、制御部１と通信をする通信部などを備える。記憶部はＲＯＭ（Read Only Memory）やＲＡＭ（Random Access Memory）などであり、各種情報や各種プログラムを記憶する。
【００１９】
監視部３それぞれは電池４の状態を示す情報を制御部１に送信する。電池４の状態を示す情報は、（Ａ１）電池４それぞれの電圧を示す電圧情報、（Ｂ１）電池４に流れる電流を示す電流情報、（Ｃ１）電池４の温度あるいは周辺の温度を示す温度情報、および、（Ａ２）電池４の電圧異常を検出したことを示す電圧異常情報、（Ｂ２）電池４の電流異常を検出したことを示す電流異常情報、（Ｃ２）電池４の温度異常を検出したことを示す温度異常情報などである。
【００２０】
（Ａ１）電圧情報と（Ａ２）電圧異常情報の送信について説明する。
監視部３は、電池４それぞれの電圧を示す電圧情報を、第一の周期Ｔ１ごとに制御部１へ送信する。図１の例では、監視部３ａは電池４ａ１から電池４ａ７それぞれの電圧を示す電圧情報を生成し、監視部３ｂは電池４ｂ１から電池４ｂ７それぞれの電圧を示す電圧情報を生成する。続いて、監視部３ａ、３ｂは第一の周期Ｔ１ごとに、電池４それぞれの電圧情報を制御部１へ送信する。
【００２１】
続いて、監視部３は、第一の周期Ｔ１より短い第二の周期Ｔ２ごとに、監視部３の制御対象の電池４のいずれかに電圧異常があるか否かを判定する。図１の例では、監視部３ａ、３ｂは、第一の周期Ｔ１より短い第二の周期Ｔ２ごとに、監視部３ａ、３ｂの制御対象の電池４のいずれかに電圧異常があるか否かを判定する。ここで、電圧異常とは、過充電状態や過放電状態などの電圧異常、ＳＯＣ（State Of Charge）異常、ＳＯＣ偏差異常、電圧偏差異常などである。
【００２２】
続いて、監視部３は、電圧情報より情報量が少ない判定結果を示す電圧異常情報を、制御部１に送信する。図１の例では、監視部３ａ、３ｂそれぞれは、電池４それぞれの電圧情報より情報量が少ない判定結果を示す電圧異常情報を第二の周期Ｔ２ごとに生成し、生成した電圧異常情報を制御部１に送信する。なお、電圧異常情報としてフラグなどを用いることが考えられる。
【００２３】
（Ｂ１）電流情報と（Ｂ２）電流異常情報の送信について説明する。
監視部３は、電池４に流れる電流を示す電流情報を、第一の周期Ｔ１ごとに制御部１へ送信する。図１の例では、電流計測部６ａにより計測した電池４ａ１から電池４ａ７に流れる電流値Ｉａを監視部３ａが取得し、取得した電流値Ｉａを示す電流情報を生成する。また、監視部３ｂの場合には、電流計測部６ｂにより計測した電池４ｂ１から電池４ｂ７に流れる電流値Ｉｂを監視部３ｂが取得し、取得した電流値Ｉｂを示す電流情報を生成する。続いて、監視部３ａ、３ｂは第一の周期Ｔ１ごとに、電流情報それぞれを制御部１へ送信する。
【００２４】
続いて、監視部３は、第一の周期Ｔ１より短い第二の周期Ｔ２ごとに、電池４に流れる電流に異常があるか否かを判定する。図１の例では、監視部３ａ、３ｂは、第一の周期Ｔ１より短い第二の周期Ｔ２ごとに、監視部３ａ、３ｂは電流値Ｉａ、Ｉｂに電流異常があるか否かを判定する。ここで、電流異常とは過電流異常などである。
【００２５】
続いて、監視部３は、電流情報より情報量が少ない判定結果を示す電流異常情報を、制御部１に送信する。図１の例では、監視部３ａ、３ｂそれぞれは、電流値Ｉａ、Ｉｂに対応する電流情報それぞれより情報量が少ない判定結果を示す電流異常情報を第二の周期Ｔ２ごとに生成し、生成した電流異常情報を制御部１に送信する。なお、電流異常情報としてフラグなどを用いることが考えられる。
【００２６】
（Ｃ１）温度情報と（Ｃ２）温度異常情報の送信について説明する。
監視部３は、電池４の温度を示す温度情報を、第一の周期Ｔ１ごとに制御部１へ送信する。図１の例では、電池４ａ１から電池４ａ７の温度あるいは周辺の温度を温度計測部７ａ１、７ａ２が計測し、計測した温度値Ｔａを温度計測部７ａ１、７ａ２から監視部３ａが取得し、取得した温度値Ｔａ１、Ｔａ２を示す温度情報を生成する。また、監視部３ｂの場合には、電池４ｂ１から電池４ｂ７の温度あるいは周辺の温度を温度計測部７ｂ１、７ｂ２が計測し、計測した温度値Ｔｂを温度計測部７ｂ１、７ｂ２から監視部３ｂが取得し、取得した温度値Ｔｂ１、Ｔｂ２を示す温度情報を生成する。続いて、監視部３ａ、３ｂは第一の周期Ｔ１ごとに、温度情報それぞれを制御部１へ送信する。
【００２７】
続いて、監視部３は、第一の周期Ｔ１より短い第二の周期Ｔ２ごとに、電池４の温度あるいは周辺の温度に異常があるか否かを判定する。図１の例では、監視部３ａ、３ｂは、第一の周期Ｔ１より短い第二の周期Ｔ２ごとに、監視部３ａ、３ｂは温度値Ｔａ１、Ｔａ２、Ｔｂ１、Ｔｂ２に異常があるか否かを判定する。
【００２８】
続いて、監視部３は、温度情報より情報量が少ない判定結果を示す温度異常情報を、制御部１に送信する。図１の例では、監視部３ａ、３ｂそれぞれは、温度値Ｔａ１、Ｔａ２、Ｔｂ１、Ｔｂ２に対応する温度情報それぞれより情報量が少ない判定結果を示す温度異常情報を第二の周期Ｔ２ごとに生成し、生成した温度異常情報を制御部１に送信する。
【００２９】
制御部について説明する。
制御部１は、例えば、ＣＰＵ、マルチコアＣＰＵ、プログラマブルなデバイスなどにより構成される。なお、上記では監視部３によりスイッチ５を切り替える制御について説明したが、制御部１がスイッチ５を切り替える制御をしてもよい。制御部１は、例えば、制御ＥＣＵを用いてもよい。また、制御部１は、記憶部、監視部３それぞれと通信する通信部などを備える。記憶部はＲＯＭやＲＡＭなどであり、各種情報や各種プログラムを記憶する。
【００３０】
監視部と制御部の動作について説明する。
（Ａ１）電圧情報と（Ａ２）電圧異常情報の送信タイミングについて説明する。
図２は、監視部および制御部の電圧情報と電圧異常情報の処理のタイミングの一例を示す図である。図２の縦軸には監視部３の電圧情報と電圧異常情報の処理（計測と送信）および制御部１の処理（受信）が示され、横軸には時間が示されている。
【００３１】
図２の例では、時間ｔ０からｔ１（第一の周期Ｔ１）において、監視部３ａが対象とする電池４ａ１から電池４ａ７の電圧情報、電圧異常情報を監視部３ａが制御部１へ送信する。本例では説明を簡単にするため、電池モジュール２ａの監視部３ａと制御部１とを用いて説明をするが、図１の場合には、複数の電池モジュール２ａ、２ｂ…の監視部３ａ、３ｂ…それぞれが、電池４ａ１から電池４ａ７、電池４ｂ１から電池４ｂ７に関する電圧情報、電圧異常情報を生成し、監視部３ａ、３ｂ…それぞれが生成した電圧情報、電圧異常情報を制御部１へ送信する。
【００３２】
図２の時間ｔ０から期間２０１において、監視部３ａが電池４ａ１から電池４ａ７の電圧を計測する。期間２０１で計測した電池４ａ１から電池４ａ７それぞれの電圧情報は、第一の周期Ｔ１内に第二の周期Ｔ２ごとに分けられて、期間２０３ｓで監視部３ａから制御部１に逐次送信される。後述する期間２０２で計測した電圧を用いずに、期間２０１で計測した電圧を用いて期間２０３ｓで送信する理由は、なるべく近い時間で計測した電池４ａ１から電池４ａ７の電圧を利用したいためで、例えば、過充電状態、過放電状態、ＳＯＣ異常、ＳＯＣ偏差異常、電圧偏差異常などの判定精度を向上させるためである。
【００３３】
図２の期間２０３ｓに示されている「４ａ１」から「４ａ７」は、電池４ａ１から電池４ａ７それぞれの電圧情報が、そのタイミングで送信されていることを示している。なお、図２の例では第二の周期Ｔ２ごとに電圧の計測を実行しているが、必ずしも一定期間ごとに実行しなくてもよい。また、電圧情報の送信の順番は、電池４ａ１から電池４ａ７の順番に限定されるものではない。
【００３４】
図２の第二の周期Ｔ２ごとの期間２０２で計測した電池４ａ１から電池４ａ７それぞれの電圧は、電圧異常を監視部３ａが判定するために用いる。電圧異常情報は監視部３ａが第二の周期Ｔ２ごとの期間２０４ｓで制御部１に送信する。
【００３５】
また、図２では電圧異常情報を電圧情報の直後に連続して送信されているが、必ずしも直後に連続して送信しなくてもよい。また、電圧異常情報は電圧情報を所定の回数送信した後に送信してもよい。なお、電圧異常情報としてフラグなどを用いることが考えられる。
【００３６】
図２の期間２０３ｒ、２０４ｒは、期間２０３ｓ、２０４ｓで送信された電圧情報と電圧異常情報を、制御部１が受信する期間である。図２の期間２０３ｒに示されている「４ａ１」から「４ａ７」は、電池４ａ１から電池４ａ７それぞれの電圧情報が、そのタイミングで受信されていることを示している。
【００３７】
（Ｂ１）電流情報と（Ｂ２）電流異常情報の送信タイミングについて説明する。
図３は、監視部および制御部の電流情報と電流異常情報の処理のタイミングの一例を示す図である。図３の縦軸には監視部３の電流情報と電流異常情報の処理（計測と送信）および制御部１の処理（受信）が示され、横軸には時間が示されている。
【００３８】
図３の例では、時間ｔ０からｔ１（第一の周期Ｔ１）において、監視部３ａが対象とする電池４ａ１から電池４ａ７に流れる電流値Ｉａを示す電流情報と、電流値Ｉａが電流異常であるか否かを判定した結果を示す電流異常情報と、を監視部３ａが制御部１へ送信する。本例では説明を簡単にするため、電池モジュール２ａの監視部３ａと制御部１とを用いて説明をするが、図１の場合には、複数の電池モジュール２ａ、２ｂ…の監視部３ａ、３ｂ…それぞれが、電流情報、電流異常情報を生成し、監視部３ａ、３ｂ…それぞれが生成した電流情報、電流異常情報を制御部１へ送信する。
【００３９】
図３の時間ｔ０から期間３０１において、監視部３ａが電池４ａ１から電池４ａ７に流れる電流を計測する。期間３０１で計測した電池４ａ１から電池４ａ７に流れる電流値を示す電流情報は、第一の周期Ｔ１内に期間３０３ｓで、監視部３ａから制御部１に逐次送信される。
【００４０】
図３の期間３０３ｓに示されている「６ａ」は、電池４ａ１から電池４ａ７に流れる電流を示す電流情報が、そのタイミングで送信されていることを示している。なお、図３の例では第二の周期Ｔ２ごとに電流の計測を実行しているが、必ずしも一定期間ごとに実行しなくてもよい。図１の場合には、複数の電池モジュール２ａ、２ｂ…の監視部３ａ、３ｂ…それぞれが生成した電流計測部６ａ、６ｂ…に対応する電流情報を、期間３０３ｓにおいて逐次送信する。ただし、電流情報の送信の順番は、電池モジュール２ａ、２ｂ…の順番（電流計測部６ａ、６ｂ…の順番）に限定されるものではない。
【００４１】
図３の第二の周期Ｔ２ごとの期間３０２で計測した電池４ａ１から電池４ａ７に流れる電流は、電流異常を監視部３ａが判定するために用いる。電流異常情報は監視部３ａが第二の周期Ｔ２ごとの期間３０４ｓで制御部１に送信する。図１の場合には、複数の電池モジュール２ａ、２ｂ…の監視部３ａ、３ｂ…それぞれが生成した電流異常情報を期間３０４ｓにおいて送信する。
【００４２】
また、図３では電流異常情報を電流情報の直後に連続して送信されているが、必ずしも直後に連続して送信しなくてもよい。また、電流異常情報は電流情報を所定の回数送信した後に送信してもよい。なお、電流異常情報としてフラグなどを用いることが考えられる。
【００４３】
図３の期間３０３ｒ、３０４ｒは、期間３０３ｓ、３０４ｓで送信された電流情報と電流異常情報を、制御部１が受信する期間である。図３の期間３０３ｒに示されている「６ａ」は、電池４ａ１から電池４ａ７に流れる電流を示す電流情報が、そのタイミングで受信されていることを示している。
【００４４】
（Ｃ１）温度情報と（Ｃ２）温度異常情報の送信タイミングについて説明する。
図４は、監視部および制御部の温度情報と温度異常情報の処理のタイミングの一例を示す図である。図４の縦軸には監視部３の温度情報と温度異常情報の処理（計測と送信）および制御部１の処理（受信）が示され、横軸には時間が示されている。
【００４５】
図４の例では、時間ｔ０からｔ１（第一の周期Ｔ１）において、温度計測部７ａ１、７ａ２が計測した、監視部３ａが対象とする電池４ａ１から電池４ａ７の温度値Ｔａ１、Ｔａ２（電池４すべてあるいはいずれかの温度あるいは周辺温度）を示す温度情報と、温度値Ｔａ１、Ｔａ２が温度異常であるかを判定した結果を示す温度異常情報と、を監視部３ａが制御部１へ送信する。本例では説明を簡単にするため、電池モジュール２ａの監視部３ａと制御部１とを用いて説明をするが、図１の場合には、複数の電池モジュール２ａ、２ｂ…の監視部３ａ、３ｂ…それぞれが、温度情報、温度異常情報を生成し、監視部３ａ、３ｂ…それぞれが生成した温度情報、温度異常情報を制御部１へ送信する。
【００４６】
図４の時間ｔ０から期間４０１において、監視部３ａが温度値Ｔａ１、Ｔａ２を計測する。期間４０１で計測した温度値Ｔａ１、Ｔａ２を示す温度情報７ａ１、７ａ２それぞれは、第一の周期Ｔ１内に期間４０３ｓで、監視部３ａから制御部１に逐次送信される。図１の場合には、複数の電池モジュール２ａ、２ｂ…の監視部３ａ、３ｂ…それぞれが温度値Ｔａ１、Ｔａ２、Ｔｂ１、Ｔｂ２を示す温度情報７ａ１、７ａ２、７ｂ１、７ｂ２…を生成する。
【００４７】
図４の期間４０３ｓに示されている「７ａ１」「７ａ２」は、電池４ａ１から電池４ａ７の温度値Ｔａ１、Ｔａ２を示す温度情報が、そのタイミングで送信されていることを示している。なお、図４の例では第二の周期Ｔ２ごとに電流の計測を実行しているが、必ずしも一定期間ごとに実行しなくてもよい。図１の場合には、複数の電池モジュール２ａ、２ｂ…の監視部３ａ、３ｂ…それぞれが生成した温度計測部７ａ１、７ａ２、７ｂ１、７ｂ２…に対応する温度情報を、期間４０３ｓにおいて逐次送信する。ただし、温度情報の送信の順番は、電池モジュール２ａ、２ｂ…の順番（温度計測部７ａ１、７ａ２、７ｂ１、７ｂ２…の順番）に限定されるものではない。
【００４８】
図４の第二の周期Ｔ２ごとの期間４０２で計測した温度値Ｔａ１、Ｔａ２は、温度異常を監視部３ａが判定するために用いる。温度異常情報は監視部３ａが第二の周期Ｔ２ごとの期間４０４ｓで制御部１に送信する。図１の場合には、複数の電池モジュール２ａ、２ｂ…の監視部３ａ、３ｂ…それぞれが生成した温度異常情報を期間４０４ｓにおいて送信する。
【００４９】
また、図４では温度異常情報を温度情報の直後に連続して送信されているが、必ずしも直後に連続して送信しなくてもよい。また、温度異常情報は温度情報を所定の回数送信した後に送信してもよい。なお、温度異常情報としてフラグなどを用いることが考えられる。
【００５０】
図４の期間４０３ｒ、４０４ｒは、期間４０３ｓ、４０４ｓで送信された温度情報と温度異常情報を、制御部１が受信する期間である。図４の期間４０３ｒに示されている「７ａ１」「７ａ２」は、電池４ａ１から電池４ａ７の温度値Ｔａ１、Ｔａ２を示す温度情報が、そのタイミングで受信されていることを示している。
【００５１】
本実施の形態によれば、第一の周期より短い第二の周期ごとに、電圧異常情報、電流異常情報、温度異常情報を監視部３から制御部１へ送信することで、異常は早期に検出できる。すなわち、従来のように第一の周期ごとに、監視部３から制御部１へ送信される電圧情報、電流情報、温度情報を用いて、制御部１が電圧異常、電流異常、温度異常を検出するよりも、電圧異常、電流異常、温度異常を早期に検出できる。その結果、電池４の異常に早期に検出できるので、早期に検出した異常に対応するフェールセーフ処理に移行することができる。
【００５２】
また、電圧異常、電流異常、温度異常を早期に検出するために、第一の周期より短い第二の周期で電圧情報、電流情報、温度情報を監視部３から制御部１へ送信する場合には、電池４の数が多くなると、電圧情報、電流情報、温度情報を第二の周期で送信しきれなくなる。すなわち、監視部３から制御部１へ送信する情報量が増加してしまう。しかし、本実施の形態によれば、第一の周期で電圧情報、電流情報、温度情報を送信し、第二の周期で電圧異常情報、電流異常情報、温度異常情報を送信しているので、従来に比べて監視部３から制御部１への情報量を削減できる。
【００５３】
また、本発明は、上記実施の形態に限定されるものでなく、本発明の要旨を逸脱しない範囲内で種々の改良、変更が可能である。
【符号の説明】
【００５４】
１  制御部、
２、２ａ、２ｂ  電池モジュール、
３、３ａ、３ｂ  監視部、
４、４ａ１、４ａ２、４ａ３、４ａ４、４ａ５、４ａ６、４ａ７、４ｂ１、４ｂ２、４ｂ３、４ｂ４、４ｂ５、４ｂ６、４ｂ７  電池、
５、５ａ、５ｂ  スイッチ、
６、６ａ、６ｂ  電流計測部、
７、７ａ１、７ａ２、７ｂ１、７ｂ２  温度計測部、
【図１】
0006476724.tif 000002
【図２】
0006476724.tif 000003
【図３】
0006476724.tif 000004
【図４】
0006476724.tif 000005